(57)【特許請求の範囲】
【請求項１】
電柱の垂直方向に沿って添設される縦長の添え材と、
前記添え材の両端部のそれぞれに該添え材の長手方向に直交するように固着されて着脱自在に電柱を捲回する２本の帯状の捲回帯と、
前記添え材の中央部にから電柱に向かって水平方向に突設固着されるとともに電柱がコンクリートカッターで刻設されたときのカッター溝に挿入可能に形成された溝挿入片とからなる、ことを特徴とする電柱振れ止め防止ベルト。
【請求項２】
前記添え材は電柱に当接する面が平滑な硬質材製である、ことを特徴とする請求項１に記載の電柱振れ止め防止ベルト。
【請求項３】
前記添え材はその断面形がＶ字状、Ｕ字状またはコの字状を呈し、断面形の開放側が電柱に当接する硬質材製である、ことを特徴とする請求項１に記載の電柱振れ止め防止ベルト。
【請求項４】
前記２本の捲回帯のそれぞれの一端には雌型係止リングが固着され、該２本の捲回帯のそれぞれの他端を該雌型係止リングに捲回することにより該２本の捲回帯は電柱に固定される、ことを特徴とする請求項１ないし請求項３のいずれかに記載の電柱振れ止め防止ベルト。
【請求項５】
前記カッター溝挿入片の前記カッター溝に挿入される部分は平面から見て略矩形の平板である、ことを特徴とする請求項１ないし請求項４のいずれかに記載の電柱振れ止め防止ベルト。
【発明の詳細な説明】
【技術分野】
【０００１】
本願発明は、立設された状態で電柱を切断撤去する際に使用される電柱のズレを防止するための電柱ズレ防止用の添え具に関する。
【背景技術】
【０００２】
コンクリート製の電柱を新しい電柱と交換する工事を市街地で行う場合は、通常、小型のクレーン車で電柱の上部を懸吊し、この懸吊位置から所定距離隔てた下部を切断して撤去することが行われるが、この撤去方法では、下部を切断する方法として、小型の電動ハンマーやエアハンマーあるいは手ハンマーでコンクリートを斫り、その後剥き出しとなった鉄筋を切断する方法がある。
【０００３】
しかし、上記の方法では、
（１）小型のクレーン車で電柱の上部を懸吊したままの状態で剥き出しとなった鉄筋を切断すると、小型のクレーン車の電柱の懸吊方向と電柱の立設方向とが微妙に食い違うため、最後の鉄筋を切断により、切断された上部の電柱が振れて作業員が思わぬ怪我をする場合がある。
（２）電柱のコンクリートは極めて硬く、これを上記工具で斫る作業は重労働であり、時間を要するばかりでなく、斫ったコンクリート片が周りに飛び散ってしまい安全上の問題がある。
といった課題点があった。
【０００４】
上記課題点（１）についての従来から行われている解決策を、図３を基に概説する。なお、図３は、従来の電柱撤去作業の概略を示す図である。
図３では、電柱７０は小型クレーン車７３で懸吊されていて、電柱７０に捲回したロープ７５の両端を２人の作業員で引っ張っているところであるが、この図はまさに、切断部７１を境に電柱７０を上下２つに分離する直前を示す図であって、分離される上部の電柱７０が、最終の切断する際に振れて切断作業をしている作業員（図示外）が思わぬ怪我をすることのないようにするために従来行われてきた方法である。
【０００５】
一方、上記課題点（２）を解決するため、本願出願人は、上記のコンクリート電柱の斫り工事に代えて、動力カッターで電柱を切断する電柱撤去方法を考案し、この電柱撤去方法に使用する電柱切断機を特許出願したが、この電柱切断機は特開２００６−３１６６１０号公報に開示されている。
【０００６】
この電柱切断機は、「人力で持ち運びができ、取り扱いも容易で、かつ、コンクリート片が飛び散るおそれのない電柱切断機を提供する」ことを目的としていて、この目的達成のために、「本願発明に係る電柱切断機は、電柱の表面と略等距離の間隔を隔てて電柱に巻回され固定されるリングレールと、リングレールに跨乗して電柱の周りを周回する周回ブロックと、電柱に対して直径方向に向けて前記周回ブロック上に固定されるラックと、ラック上を前記電柱の直径方向に移動可能な把持部と円盤状のカッターブレードとを有するコンクリートカッターと、からなっていて、カッターブレードを電柱に切り込ませながら電柱周りを周回して切断する」構成としたのである。
【０００７】
図４は、特開２００６−３１６６１０号公報に開示の実施例に係る電柱切断機の斜視図であるが、この図４を基に、この電柱切断機を概説する。
電柱切断機１００は、主として、リングレール１１０、周回ブロック１３０、ラック１５０、およびコンクリートカッター１６０から構成されている。そして、リングレール１１０は、同一形状のリングレール１１０ａおよびリングレール１１０ｂに二分割されていて、湾曲させた帯板１１２の幅方向の両縁近傍には、上部補強リブ１１８および下部補強リブ１２０が帯板１１２の長さ全体にわたって固着されていて、上部補強リブ１１８の上側は上部レール１１４が形成され、下部補強リブ１２０の下側は下部レール１１６が形成されている。さらに、帯板１１２の両端部の上部補強リブ１１８と下部補強リブ１２０との間には、接合リブ１２２、１２２が固着されていて、接合リブ１２２、１２２には、それぞれ上下２箇所に接合ボルト１２６の貫通孔が穿設され、リングレール１１０ａ、１１０ｂは、接合ボルト１２６により接合される。
リングレール１１０の帯板１１２には、円周方向に４箇所、かつ、上下２段に調整ボルト１２４、１２４、・・・が等間隔に螺着されている。これら８本の調整ボルト１２４は、リングレール１１０の内側に向けて出入するようになっていて、電柱７０に巻回した状態で、リングレール１１０ａおよびリングレール１１０ｂを一体化した後、それぞれの調整ボルト１２４を電柱７０に向けて突出させ、その先端を電柱７０に強く当接させることにより、リングレール１１０は電柱７０に巻回された状態で固定される。
【０００８】
周回ブロック１３０は、上部レール１１４と下部レール１１６とを挟み込むようにして、リングレール１１０上を周回するようになっていて、ラック１５０が周回ブロック１３０に固定され、さらに、ラック１５０にコンクリートカッター１６０が設置され、コンクリートカッター１６０が電柱７０の表面に当接してコンクリートカッター１６０の刃が回転することにより、電柱７０が切断されるようになっている。
【０００９】
ところで、切断する電柱７０の上部を小型クレーン車７３で懸吊して、上述の電柱切断機１００で切断する場合であっても、最後の部分を切断する際には、分離される上部の電柱７０が、切断された途端に横方向に振れるため、図３に示すような方法で電柱の振れを防ぐ必要があった。
【００１０】
このようないわば原始的な方法に拠らないで、電柱切断時の振れを防止する手段としては、電柱に捲回帯を巻くような方法が考えられる。
電柱用の捲回帯としては、たとえば、実開平６−４４９９８号公報に開示の「電柱用バンド」がある。この実開平６−４４９９８号公報に開示の「電柱用バンド」は「複数個のバンド片の端部にそれぞれボルト挿通孔を形成し、その端部を重ね合せて連結ボルトとナットとで連結するようにした電柱用バンドに係り、連結ボルトやナットを外すことなく、バンド長を調整できるようにすると共に、連結したバンド片が屈折してバンドが弛むのを防止することを目的」としている。そして、その目的を達成するために採った手段を、図５を基に概説すると、「互いに連結すべきバンド片２０１・２０２の少なくとも一方のバンド片２０２に形成したバンド通し穴２０９に他方のバンド片２０１を挿通して両バンド片を重ね合わせ、その両バンド片２０１・２０２の連結ボルト挿通孔２０７をバンド長手方向に沿う長孔とし、その長孔と、その長孔の両側のバンド側縁にそれぞれ複数個形成した凹溝２１０とを一致させて、上記ボルト挿通孔２０７に連結ボルト３を挿通すると共に、その連結ボルト２０３の頭部に一体的に設けた係止爪２１１を上記凹溝２１０に係合させ、上記連結ボルト２０３にナット２０４を螺合して締付固定するようにした」ものである。
なお、図５は、実開平６−４４９９８号公報に開示の実施例に係る電柱用バンドの斜視図である。
【特許文献１】特開２００６−３１６６１０号公報
【特許文献２】実開平６−４４９９８号公報
【発明の開示】
【発明が解決しようとする課題】
【００１１】
しかしながら、実開平６−４４９９８号公報に開示の「電柱用バンド」を使用する場合には、最後の鉄筋を切断する部分や最後にコンクリートカッター切断する部分を、バンド片２０１・２０２の両端部同士を締め付ける締付ボルト２０５に対置させなければならないが、締付ボルト２０５が邪魔になって切断作業に支障を来たす恐れがあるとともに、「電柱用バンド」自体の取り付けも手間が掛かるので、作業員が「電柱用バンド」取り付け作業を進んで行うようなことがない。
【００１２】
そこで、本願発明は、従来から行われてきた斫りに拠る電柱撤去工事やコンクリートカッターに拠る電柱撤去工事に使用することができる電柱ズレ防止用の道具であって、１人の作業員であっても、簡単に電柱に取り付け取り外しができる電柱振れ止め防止ベルトを提供することを目的とする。
【課題を解決するための手段】
【００１３】
上記目的を達成するために、本願請求項１に係る電柱振れ止め防止ベルトは、電柱の垂直方向に沿って添設される縦長の添え材と、前記添え材の両端部のそれぞれに該添え材の長手方向に直交するように固着されて着脱自在に電柱を捲回する２本の帯状の捲回帯と、前記添え材の中央部にから電柱に向かって水平方向に突設固着されるとともに電柱がコンクリートカッターで刻設されたときのカッター溝に挿入可能に形成された溝挿入片とからなる、ことを特徴としている。
また、本願請求項２に係る電柱振れ止め防止ベルトは、請求項１に記載の電柱振れ止め防止ベルトであって、前記添え材は電柱に当接する面が平滑な硬質材製である、ことを特徴としている。
そして、本願請求項３に係る電柱振れ止め防止ベルトは、請求項１に記載の電柱振れ止め防止ベルトであって、前記添え材はその断面形がＶ字状、Ｕ字状またはコの字状を呈し、断面形の開放側が電柱に当接する硬質材製である、ことを特徴としている。
さらに、本願請求項４に係る電柱振れ止め防止ベルトは、請求項１ないし請求項３のいずれかに記載の電柱振れ止め防止ベルトであって、前記２本の捲回帯のそれぞれの一端には雌型係止リングが固着され、該２本の捲回帯のそれぞれの他端を該雌型係止リングに捲回することにより該２本の捲回帯は電柱に固定される、ことを特徴としている。
また、本願請求項５に係る電柱振れ止め防止ベルトは、請求項１ないし請求項４のいずれかに記載の電柱振れ止め防止ベルトであって、前記カッター溝挿入片の前記カッター溝に挿入される部分は平面から見て略矩形の平板である、ことを特徴としている。
【発明の効果】
【００１４】
本願発明は、上記の構成により、以下の効果を奏する。
（１）本願発明に係る電柱振れ止め防止ベルトは、縦長の添え材と、該添え材の両端部に固着される２本の捲回帯と、該添え材の中央部から突設固着される平板の溝挿入片と、からなる簡単な構成であって、電柱振れ止め防止ベルト自体を軽量に製作することができ、単に２本の捲回帯を電柱に捲回することにより取り付けできるので、１人の作業員であっても、簡単に電柱に取り付けすることができる。
（２）また、溝挿入片は電柱がコンクリートカッターで刻設されたときのカッター溝に挿入可能に形成されているので、コンクリートカッターに拠る電柱撤去工事に使用することができるばかりでなく、カッター溝よりも斫り溝の幅が広くなる従来から行われてきた斫りに拠る電柱撤去工事にも使用することができる。
（３）さらに、溝挿入片がカッター溝や斫り溝に挿入されるので、電柱に対する電柱振れ止め防止ベルトの上下方向の移動を防ぐことができ、電柱撤去作業中に電柱振れ止め防止ベルトが電柱からズリ落ちる恐れがない。
【発明を実施するための最良の形態】
【００１５】
以下、本願発明を実施するための最良の形態に係る実施例について、図１および図２に基づいて説明する。なお、図１は、実施例に係る電柱振れ止め防止ベルトの斜視図であり、図２は、実施例に係る電柱振れ止め防止ベルトの使用状況図である。
【００１６】
図１および図２において、符号１は実施例に係る電柱振れ止め防止ベルト、符号１１は添え材、符号１３は溝挿入片、符号２１は捲回帯、符号２３は捲回帯本体、符号２５は雌型係止リング、符号２７は雌型係止リング本体、符号２９は雌型係止リング連結棒、符号７０は電柱、である。なお、図３に基づいて説明した電柱切断機については、図２においても、同一の符号を付している。
【００１７】
実施例に係る電柱振れ止め防止ベルト１は、縦長の棒状の添え材１１と、添え材１１の両端部に固着される２本の帯状の捲回帯２１、２１と、添え材１１の中央部から突出して固着される平板状の溝挿入片１３と、から構成されている。
【００１８】
実施例における添え材１１は、断面寸法が３０ｍｍ×６０ｍｍの角管を使用していて、添え材１１の長さは略５００ｍｍとしている。そして、電柱振れ止め防止ベルト１を電柱７０に取り付けた場合には、平滑な面である断面寸法が６０ｍｍの面が電柱７０の表面に当接するようになっている。
なお、添え材１１については、角管以外に、たとえば、断面形状がＶ字の山形鋼（材料を鋼材とした場合）、コの字の溝形鋼（材料を鋼材とした場合）、あるいは鋼管を縦に二つ割にしたものを使用することができる。断面形状をＶ字、Ｕ字、コの字とする場合は、平板を折り曲げて製作しても良く、アルミニュームのように抽出して成形しても良い。添え材１１として断面形状がＶ字、Ｕ字、コの字のものを使用する場合には、断面形が開いた部分を電柱７０の表面に当接するようにする。
また、添え材１１に使用する材質を硬質材としているが、この硬質材は、たとえば、鉄やアルミニュームおよびその合金等の金属材料、アクリル樹脂等の硬質合成樹脂材料のようなものを使用することができる。
【００１９】
添え材１１の両端部に固着される帯状の捲回帯２１、２１は、いずれも、同一形状に作られていて、添え材１１の長さ方向に直交するように添え材１１に固着される帯状の捲回帯本体２３と、捲回帯本体２３の一端に固着される雌型係止リング２５と、から構成され、さらに、雌型係止リング２５は、矩形の雌型係止リング本体２７と、雌型係止リング本体２７の上辺と下辺に掛け渡されて摺動する雌型係止リング連結棒２９と、から構成されている。なお、捲回帯本体２３は幅が略３８ｍｍの布製であり、雌型係止リング２５は添え材１１と同質の材料で作られている。
そして、電柱７０に捲回帯２１、２１を捲回するときは、捲回帯本体２３の雌型係止リング２５とは反対側の先端を、雌型係止リング連結棒２９の捲回帯本体２３側に通して電柱７０の外側に引き出し、その後、捲回帯本体２３の先端を雌型係止リング本体２７の右辺の電柱７０側に通して引っ張ることにより、雌型係止リング連結棒２９は雌型係止リング本体２７の右辺側に寄せられて、捲回帯２１、２１は電柱７０に確実に捲回して固定されるようになっている。
なお、雌型係止リング本体２７の上下左右とは、捲回帯２１を電柱７０に捲回したときの正面から見た方向をいう。
【００２０】
添え材１１の中央部から突設される溝挿入片１３は、厚さが略１．５ｍｍの平板であって、実施例では溝挿入片１３の平面の形状が添え材１１の３つの面を囲むようにコの字状となっているが、これは添え材１１の側面に溝挿入片１３を螺合により固着するようにしているためであり、添え材１１の電柱７０との接触面側にネジ頭等が突出して、電柱７０との接触が点で接触することのないようにするためである。したがって、添え材１１の断面寸法が６０ｍｍの面から溶着によって溝挿入片１３を突設させても良いことは勿論である。なお、溝挿入片１３の突出長さは略３０ｍｍとしている。
また、溝挿入片１３の厚さを略１．５ｍｍとしているが、これは、コンクリートカッターで刻設されたときのカッター溝の幅（略３ｍｍ程度）に合わせたためである。
【００２１】
ここで、電柱振れ止め防止ベルト１の使用例を、順を追って説明する。なお、本使用例は、先に説明した本願出願人の発明に係る電柱切断機１００を使用して電柱切断作業を行うケースであるが、他のコンクリートカッターに拠る電柱撤去作業や従来から行われてきた斫りに拠る電柱撤去作業にも本使用例に準じた手順で使用することができることは勿論である。
【００２２】
（１）電柱７０の切断位置に合うようにして電柱切断機１００をセットし、電柱切断作業を開始する。概ね電柱７０を、全周の２／３程度切断したところで、電柱切断機１００の稼動を停止する。
なお、従来から行われてきた斫りに拠る電柱撤去作業の場合には、概ね電柱７０を、全周の２／３程度の鉄筋を切断したところで、鉄筋の切断作業を中断する。
【００２３】
（２）電柱切断機１００の停止位置に対して電柱７０の略反対側に電柱振れ止め防止ベルト１を配置し、溝挿入片１３を電柱７０のコンクリートカッターで刻設されたカッター溝に挿入するとともに、捲回帯２１、２１の捲回帯本体２３を電柱７０に捲回して、雌型係止リング２５に捲回した捲回帯本体２３の先端を引っ張る。
これにより、電柱振れ止め防止ベルト１は電柱７０に確りと固定される。なお、溝挿入片１３がカッター溝に挿入されているので、電柱振れ止め防止ベルト１の上下方向の移動は制約されて移動を防止することができるが、斫り溝の場合には、斫り溝の下面に溝挿入片１３の下面を当接させることにより、電柱撤去作業中に電柱振れ止め防止ベルト１が電柱７０からズリ落ちる恐れがなくなる。
【００２４】
（３）電柱７０に電柱振れ止め防止ベルト１をセットした後、再度、電柱切断機１００による電柱切断作業を再開し、電柱切断作業を完了させる。なお、従来から行われてきた斫りに拠る電柱撤去作業の場合には、鉄筋の切断作業を再開し、完了させることになる。電柱切断作業を完了させ、あるいは、鉄筋の切断作業を完了させても、電柱７０に確りと固定された電柱振れ止め防止ベルト１により、電柱７０の上部は、電柱７０の下部に対して、ほとんどズレが生じることはない。
【００２５】
（４）電柱切断後、電柱７０の上部を懸吊しているクレーンを僅かに起こして電柱７０が上下に分割したことを確認し、捲回帯２１、２１の捲回帯本体２３の電柱７０の捲回状態を解除することにより、電柱振れ止め防止ベルト１が電柱７０から取り外される。
以上の手順により、電柱切断作業が完了する。
【図面の簡単な説明】
【００２６】
【図１】図１は、実施例に係る電柱振れ止め防止ベルトの斜視図である。
【図２】図２は、実施例に係る電柱振れ止め防止ベルトの使用状況図である。
【図３】図３は、従来の電柱撤去作業の一場面を示す図である。
【図４】図４は、特開２００６−３１６６１０号公報に開示の実施例に係る電柱切断機の斜視図である。
【図５】図５は、実開平６−４４９９８号公報に開示の実施例に係る電柱用バンドの斜視図である。
【符号の説明】
【００２７】
１  実施例に係る電柱振れ止め防止ベルト
１１  添え材
１３  溝挿入片
２１  第１の捲回帯
２２  第２の捲回帯
２５  雌型係止リング
７０  電柱
【図１】
0005049720.tif 000002
【図２】
0005049720.tif 000003
【図３】
0005049720.tif 000004
【図４】
0005049720.tif 000005
【図５】
0005049720.tif 000006